(57)【要約】      （修正有）【課題】パチンコ機の封印された制御基板のＲＯＭに記憶された制御プログラムを該封印を解くことなく検査すること。【解決手段】封印された制御基板１０ａに配設された記憶手段１２に記憶された制御プログラムを検査するパチンコ機１の制御プログラム検査方法において、該パチンコ機１に特定の条件が成立したときに、検査用プログラムが前記記憶手段１２に記憶された前記パチンコ機１の制御プログラムを読み出し、プログラム検査手段３０が該読み出された制御プログラムを検査することを特徴とするパチンコ機の制御プログラム検査方法。更に、前記特定の条件の成立がエラーの発生であること。【選択図】図２
2010088900.tif 000002
【特許請求の範囲】
【請求項１】
封印された制御基板に配設された記憶手段に記憶された制御プログラムを検査するパチンコ機の制御プログラム検査方法において、
該パチンコ機に特定の条件が成立したときに、検査用プログラムが前記記憶手段に記憶された前記パチンコ機の制御プログラムを読み出し、プログラム検査手段が該読み出された制御プログラムを検査することを特徴とする
パチンコ機の制御プログラム検査方法。
【請求項２】
前記特定の条件の成立がエラーの発生であることを特徴とする請求項１記載のパチンコ機の制御プログラム検査方法。
【発明の詳細な説明】
【技術分野】
【０００１】
本発明は、パチンコ機の封印された制御基板のメモリに記憶された制御プログラム検査方法に関し、特に制御基板を開封しないで該制御プログラムを検査することができる方法に関するものである。
【背景技術】
【０００２】
従来から、パチンコ機の動作制御用主制御基板にＣＰＵ（central
processingunit ）、ＲＯＭ（read only memory）等が使用されている。ＣＰＵはパチンコ機の動作全体を制御するものであり、ＲＯＭはパチンコ機の動作制御プログラムを記憶している。なお、ＣＰＵ，ＲＯＭ等を含む主制御基板は不正を防ぐために封印されている。
【発明の概要】
【発明が解決しようとする課題】
【０００３】
しかし、上述の従来例では、前記ＲＯＭに記憶された制御プログラムが正常なものであるかどうか検査するためには、前記封印を解いてＲＯＭを主制御基板から取り外す必要がある。しかし、不正を防ぐために一旦封印が解かれた主制御基板はもはや使用できないという取扱がなされている。このため、制御プログラムを検査した主制御基板は、封印が解かれているので、もはやパチンコ機に装着できないという問題があった。したがって、本願発明の目的は、上述の従来例の問題点をなくし、パチンコ機の制御基板の封印を解くことなく、該制御基板に配設されたＲＯＭ等の記憶手段に記憶された制御プログラムの内容を検査することができる検査方法を提供することである。
【課題を解決するための手段】
【０００４】
上記課題を解決するため、本願の第１の発明の構成は、封印された制御基板に配設された記憶手段に記憶された制御プログラムを検査するパチンコ機の制御プログラム検査方法において、該パチンコ機に特定の条件が成立したときに、検査用プログラムが前記記憶手段に記憶された前記パチンコ機の制御プログラムを読み出し、プログラム検査手段が該読み出された制御プログラムを検査することを特徴とするパチンコ機の制御プログラム検査方法である。
【０００５】
上記第１の発明の構成により、何らかの手段により人為的にパチンコ機に特定の条件を成立させたときに、検査用プログラムが封印された制御基板に配設された記憶手段に記憶されたパチンコ機の制御プログラムを読み出し、該読み出された制御プログフラムがプログラム検査手段により検査されるので、制御プログラムの記憶手段を含む主制御基板の封印を解くことなく前記記憶手段に記憶された制御プログラムの内容を検査することができる。
【０００６】
更に、第２の発明の構成は、上記第１の発明の構成において、前記特定の条件の成立がエラーの発生であることである。
【０００７】
上記第２の発明の構成により、上記第１の発明の構成による作用とともに、前記特定の条件の成立がエラーの発生であるので、ＲＯＭに記憶された制御プログラムを検査しようとする者が人為的にパチンコ機にエラーを発生させるのみで、前記検査用プログラムを起
動させることができる。
【発明の効果】
【０００８】
本願の第１の発明に係わるパチンコ機の制御プログラム検査手段によれば、何らかの手段により人為的にパチンコ機に特定の条件を成立させることにより、検査用プログラムを起動させ、この検査用プログラムにより封印された制御基板の記憶手段に記憶された制御プログラムを読み出して検査するので、前記制御基板の封印を解くことなく前記記憶手段に記憶された制御プログラムの内容を検査することができる。このため、パチンコ機の電源を切ることなく簡単な操作で前記制御プログラムの検査をすることができ、パチンコ機の不正な操作を防ぐことができる。
【０００９】
更に、第２の発明により、上記第１の発明による効果とともに、前記特定の条件の成立がエラーの発生であるので、人為的にパチンコ機にエラーを発生させるのみで、前記検査用プログラムを起動させることができる。このため、簡単に検査用プログラムを起動させ
ることができる。
【図面の簡単な説明】
【００１０】
【図１】本願発明の実施の形態のブロックダイヤグラムである。
【図２】図１に示すものの具体的な回路図である。
【図３】図２に示す回路図の変形例の回路図である。
【図４】本願発明の制御プログラム検査装置が適用されるパチンコ機のブロックダイヤグラムである。
【図５】パチンコ機のエラーの発生を説明する斜視図である。
【発明を実施するための形態】
【００１１】
図１は本願発明の実施の形態に係わるパチンコ機の制御プログラムの検査方法に使用する装置の概略を示している。図１において、パチンコ機１の主制御基板１０にコネクタ１４が設けられている。変換基板２０にはコネクタ２１、２５が設けられ、コネクタ２１は前記主制御基板１０のコネクタ１４にコード５１で接続されている。またコネクタ２５はコード５２によりプログラム検査手段としてのＲＯＭライター３０に接続されている。なお、差込プラグ４２はコード５３によりＡＣアダプタ４１に接続され、更に、ＡＣアダプタ４１はコード５４により変換基板２０に接続されている。
【００１２】
図２は、上記実施の形態の具体例を示している。図２において、主制御基板１０ａ（図１の主制御基板１０に相当する。）では、記憶手段としてのＲＯＭ１２が中央処理装置としてのＣＰＵ１１により制御されるように接続されている。また、ＰＩＯ（programmedＩ／Ｏ）１３がＣＰＵ１１により制御されるように接続されている。ＲＯＭ１２はパチンコ機１の制御プログラム及び本願発明に係わる検査用プログラムを記憶している。この制御用プログラムは、パチンコ機１の動作を制御するものであり、例えば図柄制御、大当たり制御、賞球の払出し制御等を行うプログラムである。ＣＰＵ１１がパチンコ機１のエラー状態を検出したとき、ＲＯＭ１２内に記憶された前記検査用プログラムが起動して、前記検査用プログラムが前記制御プログラムを読み出してＰＩＯ１３へ送る。トランジスタＱ1
はＰＩＯ１３の出力を受けるように接続されている。トランジスタＱ1 は、コレクタがコネクタ１４ａに接続され、エミッタは接地されている。なお、コネクタ１４ａ及び後述するコネクタ１４ｂは可変図柄表示用液晶表示装置６０の接続用のものである（図４参照）。
【００１３】
変換基板２０ａ（図１の変換基板２０に相当する。）には、コネクタ２１ａ、２１ｂ、２５が設けられている。フォトカプラ２２の発光ダイオードＤ1 のアノードは抵抗Ｒ1 を介してコネクタ２１ｂに接続され、発光ダイオードＤ1 のカソードはコネクタ２１ａに接続されている。フォトカプラ２２のフォトトランジスタＱ2
は、エミッタが接地され、コレクタがラインドライバ２３の入力端子に接続されている。ラインドライバ２３の出力端子はコネクタ２５に接続されている。ＡＣアダプタ４１の出力はＤＣ／ＤＣ変換器２４の入力端子に接続され、ＤＣ／ＤＣ変換器２４の出力端子はラインドライバ２３の＋ＶCC
端子と−ＶCC 端子とに接続されている。
【００１４】
図４は、制御プログラム検査装置が適用されるパチンコ機１の全体のブロックダイヤグラムを示している。図４において、主制御基板１０ａは、図２に示すものと同じである。ただし、トランジスタアレイＴにおいては、１０個のトランジスタのエミッタが接地され、各トランジスタのベースはそれぞれＰＩＯ１３に接続され、各トランジスタのコレクタはそれぞれコネクタ１４ａの各ピンに接続されている。なお、図４においては前記１０個のトランジスタのうち１つのトランジスタＱ1 のみが図示されている。また、図２においては、トランジスタアレイＴは図示されずそのうちの前記１つのトランジスタＱ1 のみが図示されている。
【００１５】
液晶表示装置６０は、液晶表示制御基板６１、ＬＣＤ（Liquid crystal display）モジュール６７及び冷陰極蛍光ランプ点灯装置６８からなる。液晶表示制御基板６１には、ＣＰＵ６２、ＲＯＭ６３、ＶＤＰ（Video
drive processor ）６４及びコネクタ６５ａ、６５ｂ、６６ａ、６６ｂが配設されている。コネクタ６５ａはコード６９ａによりコネクタ１４ａに接続され、コネクタ６５ｂはコード６９ｂによりコネクタ１４ｂに接続されている。ＲＯＭ６３はＬＣＤモジュール６７の制御プログラムを記憶し、ＣＰＵ６２はＲＯＭ６３に記憶された制御プログラムに従ってＶＤＰ６４を制御し、ＶＤＰ６４はコネクタ６６ａを介してＬＣＤモジュール６７を駆動する。なお、電源Ｖ1
の電圧は、ＶＤＰ６４に供給され、更に、コネクタ６６ｂを介して冷陰極蛍光ランプ点灯装置６８に供給されている。
【００１６】
図５はパチンコ機１のエラーの発生原因の１例を説明している。図５に示す可変入賞装置７０では、回転羽根７１が配設され、該回転羽根７１が開いているときは、遊技球７６が矢印７７に示す経路にて回転羽根７１の近傍を通り可変入賞装置７０内に落下する。可変入賞装置７０内にて、遊技球７６がカウントスイッチ７２を通過し、猿状キャラクタ７３に衝突し、蟹状キャラクタ７４を通過し、最後に特定領域７５に落下する。なお、猿状キャラクタ７３はガイド７３ａに沿って移動可能である。しかし、可変入賞装置７０の前面に配置された図示しないガラス板を開けて、ＲＯＭ１２に記憶された制御プログラムを検査しようとする者が手で遊技球７６を摘んで特定領域７５に入れることもできる。このように遊技球７６がカウントスイッチ７２を通過しないで特定領域７５に落下すると「エラー」となる。
【００１７】
更に、「エラー」として次のものがある。入賞検出スイッチのコネクタが抜けている状態が３秒以上続いた場合（断線）、入賞検出スイッチの検出部に遊技球が詰まった状態が３秒以上続いた場合、通常時に１種大入賞口に入賞した場合等がある。以上の「エラー」の場合は、エラーだと判断される。主制御基板１０ａが液晶表示装置６０と接続されている状態では、エラーと判断すると遊技を一時中断して音、表示部等で報知するようになっており、検査用プログラムは無視される。
【００１８】
以上の構成により、主制御基板１０ａを開封せずに、コネクタ１４ａ、１４ｂから図４に示す液晶表示装置６０を取り外し、コネクタ２１ａをコード５１ａによりコネクタ１４ａに接続し、コネクタ２１ｂをコード５１ｂによりコネクタ１４ｂに接続する。このとき、発光ダイオードＤ1 のカソードはコネクタ２１ａ、１４ａによりトランジスタＱ1 のコレクタに接続され、抵抗Ｒ1 はコネクタ２１ｂ、１４ｂにより直流電源Ｖ1に接続される。ＣＰＵ１１がパチンコ機１のエラー（例えば、パチンコ機１の図示されていない入賞検出スイッチの配線用コネクタを抜くことにより該入賞検出スイッチに対する配線を断線させた場合）を検知したときに、検査用プログラムとしてのプログラムローダ用サブプログラムが起動し、このプログラムローダ用サブプログラムによりＲＯＭ１２に記憶されたパチンコ機１の制御プログラムが読み出されてＣＰＵ１１を経てＰＩＯ１３に印加される。
【００１９】
トランジスタＱ1 はＰＩＯ１３の出力端子から該制御プログラムの信号を受けて発光ダイオードＤ1 を制御する。このため、発光ダイオードＤ1 は該制御プログラムに従って発光し、フォトトランジスタＱ2
を動作させる。フォトトランジスタＱ2 の出力信号はラインドライバ２３に印加される。ラインドライバ２３は、デジタル機器用のデータ伝送インターフェースであり、フォトトランジスタＱ2
から出力された前記制御プログラム信号をＲＯＭライター３０に伝送する。なお、フォトカプラ２２が使用されているため、パチンコ機１とラインドライバ２３とは電気的に絶縁されている。ＲＯＭライター３０は、前記制御プログラムの内容を記憶し、正規のＲＯＭに記憶されている制御プログラムと照合し、一致しない場合はその旨表示される。これにより主制御基板１０ａに取り付けられているＲＯＭ１２に記憶された制御プログラムが正規のものであるか否かが判断可能となる。
【００２０】
図３は、図２に示す具体例の変形例として、通常は使用せず検査時にのみ使用する専用の検査用コネクタを設けた場合を示している。図３において、主制御基板１０ｂは上記主制御基板１０ａに対応し、主制御基板１０ｂにはＣＰＵ１１、ＲＯＭ１２及びＰＩＯ１３が図２と同様に配設され、トランジスタＱ11 はベースがＰＩＯ１３の出力端子に接続され、エミッタが接地され、コレクタが後述するコネクタ１４ｃの一方の回路に接続されている。検査用コネクタ１４ｃは、２ピンのものであり、直流電源Ｖ2
が抵抗Ｒ2 を介してコネクタ１４ｃの他方の回路に接続されている。変換基板２０ｂは上記変換基板２０ａに対応するものである。変換基板２０ｂにおいて、フォトカプラ２２、ラインドライバ２３、ＤＣ／ＤＣ変換器２４及びコネクタ２５が図２と同様に配設されている。コネクタ２１ｃは２回路のものであり、上記コネクタ１４ｃにコード５１ｃにより接続されている。フォトカプラ２２の発光ダイオードＤ1
のカソードはコネクタ２１ｃの一方の回路に接続され、発光ダイオードＤ1 のアノードはコネクタ２１ｃの他方の回路に接続されている。なお、図３において、図４に示すトランジスタアレイＴ及びコネクタ１４ａ、１４ｂから液晶表示装置６０側の部分の図示が省略されている。
【００２１】
以上の構成により、上述の図２に示す具体例と同様にＲＯＭ１２に記憶された制御プログラムの内容を検査することができる。ただし、この場合は前記プログラムローダ用サブプログラムは前記検査用コネクタ１４ｃに前記制御プログラムを送るようにプログラムされている。
【００２２】
なお、パチンコ機１に検査用プログラムの作動スイッチを設け、該作動スイッチにより特許請求の範囲における「特定の条件」を成立させてもよい。また、図２に示した実施の形態において、トランジスタＱ1 のコレクタをコネクタ１４ａの空きポートに接続してもよい。また、図２におけるコネクタ１４ａとコネクタ１４ｂとをまとめて１つのコネクタとしてもよい。
【符号の説明】
【００２３】
１ パチンコ機
１０、１０ａ、１０ｂ 主制御基板
１１ ＣＰＵ
１２ ＲＯＭ
１３ ＰＩＯ
２０、２０ａ、２０ｂ 変換基板
３０ ＲＯＭライター
【図１】
2010088900.tif 000003
【図２】
2010088900.tif 000004
【図３】
2010088900.tif 000005
【図４】
2010088900.tif 000006
【図５】
2010088900.tif 000007
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
制御プログラム検査装置を用いて検査される遊技機であって、
主制御基板を備え、
該主制御基板は、
遊技機の動作を制御する制御プログラムを記憶する記憶手段と、
検査用コネクタと、
を備え、
前記主制御基板は封印されており、
前記検査は、前記主制御基板に配設された前記記憶手段が記憶する制御プログラムの検査であって、
前記検査用コネクタに前記制御プログラム検査装置を接続することによって前記封印を解くことなく前記制御プログラムの検査をすることが可能であって、
前記検査用コネクタは、通常は使用せず前記制御プログラムの検査時にのみ使用する専用のコネクタであることを特徴とする、
遊技機。
【手続補正２】
【補正対象書類名】明細書
【補正対象項目名】０００４
【補正方法】変更
【補正の内容】
【０００４】
上記課題を解決するため、本願の第１の発明の構成は、制御プログラム検査装置を用いて検査される遊技機であって、
主制御基板を備え、
該主制御基板は、
遊技機の動作を制御する制御プログラムを記憶する記憶手段と、
検査用コネクタと、
を備え、
前記主制御基板は封印されており、
前記検査は、前記主制御基板に配設された前記記憶手段が記憶する制御プログラムの検査であって、
前記検査用コネクタに前記制御プログラム検査装置を接続することによって前記封印を解くことなく前記制御プログラムの検査をすることが可能であって、
前記検査用コネクタは、通常は使用せず前記制御プログラムの検査時にのみ使用する専用のコネクタであることを特徴とする。
封印された制御基板に配設された記憶手段に記憶された制御プログラムを検査するパチンコ機の制御プログラム検査方法において、該パチンコ機に特定の条件が成立したときに、検査用プログラムが前記記憶手段に記憶された前記パチンコ機の制御プログラムを読み出し、プログラム検査手段が該読み出された制御プログラムを検査することを特徴とするパチンコ機の制御プログラム検査方法であっても良い。